(57)【要約】【課題】イオン発生部を備えるヘアードライヤーを小型化するための技術を提供する。【解決手段】ヘアードライヤー１００は、筐体１と、ファン６と、ヒータ７と、イオン発生部１０とを備える。筐体１は、吸込口４および吹出口５が形成され、吸込口４から吹出口５へと至る空気流路９０を有する。ファン６は、空気流路９０に配置され、気流を生じさせる。ヒータ７は、空気流路９０に配置され、空気流路９０を流れる空気を加熱する。イオン発生部１０は、長手方向が空気流路の方向と交差するように配置される。イオン発生部１０は、長手方向Ｌ３に沿った面に、イオンを発生させるための放電電極１１を有する。筐体１は、空気流路の方向Ｌ１と交差し、かつ放電電極１１が形成される面に沿う方向Ｌ３に沿って形成されたイオン流路９１をさらに有する。【選択図】図１
2014188348.tif 000002
【特許請求の範囲】
【請求項１】
吸込口および吹出口が形成され、前記吸込口から前記吹出口へと至る空気流路を有する筐体と、
前記空気流路に配置され、気流を生じさせるファンと、
前記空気流路に配置され、前記空気流路を流れる空気を加熱するヒータと、
長手方向と短手方向とを有し、前記長手方向が前記空気流路の方向と交差するように配置されたイオン発生部とを備え、
前記イオン発生部は、前記長手方向に沿った面に、イオンを発生させるための放電電極を有し、
前記筐体は、前記空気流路の方向と交差し、かつ前記放電電極が形成される面に沿う方向に沿って形成されたイオン流路をさらに有する、ヘアードライヤー。
【請求項２】
前記空気流路の方向と交差する前記方向についての前記空気流路の壁面間の長さは、前記吹出口から前記吸込口に近くなるに従って大きくなり、
前記イオン発生部は、前記空気流路の方向に沿って、前記ファンと前記吸込口との間で前記筐体内に配置される、請求項１に記載のヘアードライヤー。
【請求項３】
前記筐体は、前記空気流路の前記イオン発生部に対する前記下流側に、前記空気流路の前記壁面から前記イオン発生部の前記長手方向に沿って突出する突起部をさらに有する、請求項２に記載のヘアードライヤー。
【請求項４】
前記筐体は、
前記空気流路の方向と交差する方向に沿って前記筐体に連結され、前記イオン流路が形成されたハンドルをさらに有し、
前記イオン発生部は、前記イオン発生部の前記長手方向が、前記交差する方向と一致するように前記ハンドル内に配置され、
前記ハンドルは、
前記交差する方向に沿って、前記筐体と前記ハンドルとの連結部から前記放電電極よりも遠くに形成された、前記イオン流路の吸込口と、
前記連結部に形成された、前記イオン流路の吹出口とを有する、請求項１に記載のヘアードライヤー。
【請求項５】
前記ハンドルは、前記空気流路の方向に沿って、前記ファンと前記空気流路の前記吹出口との間に配置され、
前記イオン流路の前記吸込口の面積は、前記イオン流路の前記吹出口の面積よりも大きく、
前記空気流路の吹出口の面積は、前記イオン流路の前記吹出口の面積よりも大きい、請求項４に記載のヘアードライヤー。
【発明の詳細な説明】
【技術分野】
【０００１】
本発明は、ヘアードライヤーに関し、特に、イオン発生部を備えるヘアードライヤーに関する。
【背景技術】
【０００２】
イオンを毛髪に当てることによって、毛髪の保湿効果または静電気抑制効果などを得られることが実証されている。このような効果を得るために、イオン発生部を備えるヘアードライヤーが提案されている。
【０００３】
たとえば実開平６―２１５０６号公報（特許文献１）に開示されたヘアードライヤーには、モーターファン部とヒータ部とが内装される。モーターファン部とヒータ部との間に、トランスの一次側巻線側に直列共振回路が接続される。トランスの二次側巻線端子にイオン電極とオゾン電極とが接続される。直列共振回路に通電してイオン電極間とオゾン電極間とに高電圧を出力することにより、マイナスイオンとオゾンとを発生させる。
【０００４】
また、特開２００２―１９１４２６号公報（特許文献２）に開示されたヘアードライヤーでは、ハウジングの内部に空気流路が形成される。その空気流路内にファンとヒータとが配置される。空気流路の下流側端部に、空気を吐出する空気吐出口が設けられる。ハウジングには、空気流路とは別のイオン流路が設けられるとともに、そのイオン流路にマイナスイオンを発生可能なイオン発生部が設けられる。イオン流路の下流側端部に、マイナスイオンを吐出するイオン吐出口が設けられる。
【０００５】
特開２００８―２９８１３号公報（特許文献３）に開示された加熱送風装置では、吸入口から吐出口に至る空気流路内に、回転駆動されるファンおよび加熱手段が配置される。また、空気流路から分岐してイオン吹出口に至る流路中に、放電電極と対向電極とを備えるイオン発生手段が配置される。イオン吹出口に、イオンを通過させるための開口を備えたカバーが配置される。カバーは、イオン吹出口よりも前方に位置する吐出口の外周も覆う。カバーの背面に一体に設けられた突部が、イオン発生手段の対向電極よりもカバー側に位置する対向電極に接触する。これにより、カバーが対向電極を介して接地される。
【先行技術文献】
【特許文献】
【０００６】
【特許文献１】実開平６―２１５０６号公報
【特許文献２】特開２００２―１９１４２６号公報
【特許文献３】特開２００８―２９８１３号公報
【発明の概要】
【発明が解決しようとする課題】
【０００７】
ヘアードライヤーの取扱いまたは持運びを容易にするためには、ヘアードライヤーは小型であることが好ましい。しかしながら、イオン発生部を備えることによって、ヘアードライヤーが大型化する可能性がある。このように、使用者の利便性の点において、イオン発生部を備えるヘアードライヤーは課題を有し得る。
【０００８】
本発明の目的は、イオン発生部を備えるヘアードライヤーを小型化するための技術を提供することである。
【課題を解決するための手段】
【０００９】
本発明のある局面に係るヘアードライヤーは、筐体と、ファンと、ヒータと、イオン発生部とを備える。筐体は、吸込口および吹出口が形成され、吸込口から吹出口へと至る空気流路を有する。ファンは、空気流路に配置され、気流を生じさせる。ヒータは、空気流路に配置され、空気流路を流れる空気を加熱する。イオン発生部は、長手方向と短手方向とを有し、長手方向が空気流路の方向と交差するように配置される。イオン発生部は、長手方向に沿った面に、イオンを発生させるための電極を有する。筐体はイオン流路をさらに有する。イオン流路は、空気流路の方向と交差し、かつ電極が形成される面に沿う方向に沿って形成される。
【００１０】
好ましくは、空気流路の方向と交差する上記方向についての空気流路の壁面間の長さは、吹出口から吸込口に近くなるに従って大きくなる。イオン発生部は、空気流路の方向に沿って、ファンと吸込口との間で筐体内に配置される。
【００１１】
好ましくは、筐体は突起部をさらに有する。突起部は、空気流路のイオン発生部に対する下流側に、空気流路の壁面からイオン発生部の長手方向に沿って突出する。
【００１２】
好ましくは、筐体は、ハンドルをさらに有する。ハンドルは、空気流路の方向と交差する方向に沿って筐体に連結され、イオン流路が形成される。イオン発生部は、イオン発生部の長手方向が、交差する方向と一致するようにハンドル内に配置される。ハンドルは、イオン流路の吸込口と、イオン流路の吹出口とを有する。イオン流路の吸込口は、交差する方向に沿って、筐体とハンドルとの連結部から電極よりも遠くに形成される。イオン流路の吹出口は、連結部に形成される。
【００１３】
好ましくは、ハンドルは、空気流路の方向に沿って、ファンと空気流路の吹出口との間に配置される。イオン流路の吸込口の面積は、イオン流路の吹出口の面積よりも大きい。空気流路の吹出口の面積は、イオン流路の吹出口の面積よりも大きい。
【発明の効果】
【００１４】
本発明によれば、イオン発生部を備えるヘアードライヤーを小型化することができる。
【図面の簡単な説明】
【００１５】
【図１】本発明の実施の形態１に係るヘアードライヤーの断面図である。
【図２】図１に示したヘアードライヤーの背面図である。
【図３】図１に示したイオン発生部の外観斜視図である。
【図４】図１に示したイオン発生部の正面図である。
【図５】図４のＶ―Ｖ線に沿うイオン発生部の断面図である。
【図６】図５に示したイオン発生部を固定する構造を概略的に示す図である。
【図７】図６に示した構造とは異なる、イオン発生部を固定するための構造を概略的に示す図である。
【図８】本発明の実施の形態１の変形例に係るヘアードライヤーの断面図である。
【図９】本発明の実施の形態２に係るヘアードライヤーの断面図である。
【図１０】本発明の実施の形態２の変形例に係るヘアードライヤーの断面図である。
【図１１】本発明の実施の形態３に係るヘアードライヤーの断面図である。
【図１２】図１１に示したヘアードライヤーの断面図である。
【図１３】イオン発生部の従来の配置を説明するための図である。
【図１４】図１１に示した空気流路およびイオン流路の構造を説明するための図である。
【図１５】本発明の実施の形態３の変形例に係るヘアードライヤーの断面図である。
【図１６】図１５に示したノズルの外観斜視図である。
【図１７】図１５に示したノズルの構造を詳細に説明する図である。
【図１８】図１３（Ｂ）に示したイオン発生部とは異なる構造を有するイオン発生部の構造を説明するための図である。
【図１９】本発明の実施の形態４に係るヘアードライヤーの断面図である。
【図２０】図１９に示した空気流路およびイオン流路の構造を説明するための図である。
【図２１】本発明の実施の形態４の変形例に係るヘアードライヤーの断面図である。
【図２２】本発明の実施の形態５に係るヘアードライヤーの断面図である。
【図２３】本発明の実施の形態５の変形例に係るヘアードライヤーの断面図である。
【図２４】図１５とは異なる形状を有するノズルの外観斜視図である。
【図２５】図２４に示したノズルの構造を詳細に説明する図である。
【発明を実施するための形態】
【００１６】
以下、本発明の実施の形態について図面を参照しながら詳細に説明する。なお、図中同一または相当部分には同一符号を付して、その説明を繰り返さない。
【００１７】
［実施の形態１］
図１は、本発明の実施の形態１に係るヘアードライヤー１００の断面図である。図２は、図１に示したヘアードライヤー１００の背面図である。
【００１８】
図１および図２を参照して、ヘアードライヤー１００は、筐体１と、ファン６と、ヒータ７と、イオン発生部１０とを備える。筐体１の形状は、たとえば筒状である。筐体１の一方の端面には吸込口４が形成される。筐体１の他方の端面には吹出口５が形成される。筐体１には、吸込口４から吹出口５へと至る空気流路９０が形成される。空気流路９０内に、ファン６と、ヒータ７と、イオン発生部１０とが収容される。なお、ヘアードライヤー１００の吸込口４側には、異物の吸込みを防ぐためのフィルタが設けられるが、図２では図面の簡略化のために示されていない。
【００１９】
ファン６は、モータ（図示せず）によって回転駆動される。これによりファン６は、空気流路９０内に気流を生じさせる。図１中の矢印が気流の方向を表す。ヒータ７は、ファン６と吹出口５との間に配置される。ヒータ７は、ファン６が生じさせた気流を加熱する。イオン発生部１０は、吸込口４とファン６との間に配置される。イオン発生部１０は、コロナ放電によってイオンを発生させる。
【００２０】
筐体１には、空気流路９０の方向Ｌ１と交差する方向Ｌ２に沿って、ハンドル２が形成される。ハンドル２は中空である。ハンドル２には、電源コード２ａと、電源コード２ａを保護するためのブッシング２ｂと、切替スイッチ８とが取り付けられる。使用者が切替スイッチ８１を操作することによって、電源のオン／オフ、温風／冷風、またはイオンの発生／不発生が切り替えられる。
【００２１】
図３は、図１に示したイオン発生部１０の外観斜視図である。図４は、図１に示したイオン発生部１０の正面図である。図５は、図４のＶ―Ｖ線に沿うイオン発生部１０の断面図である。
【００２２】
図３〜図５を参照して、イオン発生部１０は、ケース１３と、接続端子１４とを備える。ケース１３には、放電電極１１と、誘導電極１２と、基板１５と、回路基板（図示せず）とが収容される。回路基板には電圧生成回路（図示せず）が実装される。
【００２３】
ケース１３は、たとえば略直方体形状であって、長手方向Ｌ３と短手方向Ｌ４とを有する。ヘアードライヤー１００には、電源コード２ａを介して電力が供給される。接続端子１４は、供給された電力を受ける。電圧生成回路は、コロナ放電を生じさせるための電圧を生成する。
【００２４】
放電電極１１は、長手方向Ｌ３に沿った面に形成された針状の電極である。誘導電極１２は、貫通穴が設けられた板状の電極である。放電電極１１と誘導電極１２とは、互いに対向するように基板１５に配置される。放電電極１１と誘導電極１２との間に、電圧生成回路によって生成された電圧が印加される。放電電極１１と誘導電極１２との間の電界強度が一定以上になると、コロナ放電が生じる。このコロナ放電によってイオンが発生する。発生したイオンは、放出穴１３ａからイオン発生部１０の外部に放出される。
【００２５】
イオン発生部１０は、いずれか一方の極性のイオンを発生させることも可能である。しかし、本実施の形態においてイオン発生部１０は、２対の放電電極１１と誘導電極１２とを有する。これら２対の電極（放電電極１１および誘導電極１２）は、正イオンおよび負イオンをそれぞれ発生させる。これにより、本実施の形態では、イオン発生部１０は両極性のイオンを略同等量発生させる。本実施の形態において、２対の電極は長手方向Ｌ３に沿って配置される。しかし、２対の電極の配置はこれに限定されるものではない。２対の電極は、たとえば短手方向Ｌ４に沿って配置されてもよい。また、電極の数も特に限定されない。
【００２６】
正イオンは、水素イオン（Ｈ＋）の周囲に複数の水分子が付随したクラスターイオンである。正イオンは、Ｈ＋（Ｈ２Ｏ）ｍ（ｍは自然数）と表される。負イオンは、酸素イオン（Ｏ２−）の周囲に複数の水分子が付随したクラスターイオンである。負イオンは、Ｏ２−（Ｈ２Ｏ）ｎ（ｎは自然数）と表される。イオン発生部１０で発生した正イオンおよび負イオンは、イオン気流に乗って空気流路９０へと運ばれる。正イオンおよび負イオンを含むイオン気流は、空気流路９０を流れる気流と合流する。これにより、正イオンおよび負イオンを含む空気が吹出口５から吹き出される。なお、本発明に係る「放電電極」は、上記の針状の放電電極１１に限定されるものではなく、たとえばイオン発生部１０の表面に形成された沿面の放電電極であってもよい。本発明に係る「放電電極」は、他のイオンを発生させるものであってもよい。
【００２７】
図１および図２に戻り、イオン発生部１０は、吸込口４の近傍において、長手方向Ｌ３が空気流路の方向Ｌ１と交差するように筐体１内に配置される。吸込口４は、イオン発生部１０の長手方向Ｌ３の下側（ハンドル２が設けられた側）にも形成される。これにより、イオン発生部１０に対し、電極が形成される面の一端から他端へと長手方向Ｌ３に沿ってイオン流路９１が形成される。言い換えると、イオン流路９１は、空気流路９０の方向Ｌ１と交差し、かつ電極が形成される面に沿う方向Ｌ３に沿って形成される。
【００２８】
なお、図１では、電極が空気流路９０のイオン発生部１０に対する下流側に形成されるが、電極が形成される面はこれに限定されるものではない。たとえば電極は、空気流路９０のイオン発生部１０に対する上流側に形成されてもよい。あるいは、電極は、空気流路９０の方向Ｌ１と、空気流路９０の方向Ｌ１と交差する方向Ｌ２とを含む面に平行な面（紙面に平行な面）に形成されてもよい。この場合、イオン流路が形成される箇所は、電極が形成される面に応じて変更される。
【００２９】
一般にヘアードライヤーでは、吹出口から吹き出される空気の速さ（風速）を大きくするために、吸込口の面積が吹出口の面積よりも大きい。空気流路９０の方向Ｌ１と交差する方向Ｌ２についての空気流路９０の壁面間の長さは、吹出口５から吸込口４に近くなるに従って大きくなる。このため、吸込口４の近傍には、比較的大きなスペースが存在する。したがって、吸込口４の近傍は、長手方向Ｌ３が空気流路９０の方向Ｌ１と交差するようにイオン発生部１０を配置するのに適する。なお、図１および図２では、空気流路９０の方向Ｌ１と交差する方向Ｌ２は紙面内に含まれる。しかし、空気流路９０の方向Ｌ１と交差する方向Ｌ２は、紙面内に限定されるものではなく、たとえば紙面に垂直な方向であってもよい。
【００３０】
このようにイオン発生部１０を配置することで、空気流路９０の方向Ｌ１に沿った筐体１の長さを短くすることができる。すなわち、空気流路の方向に関し、ヘアードライヤーを小型化することができる。
【００３１】
図６は、図５に示したイオン発生部１０を筐体１に固定するための構造を概略的に示す図である。図６を参照して、図６（Ａ）は、イオン発生部１０が比較的厚い場合（放出穴１３ａが形成された面と、その反対側の面との間の厚みが大きい場合）に、イオン発生部１０を固定するための構造を表す。図６（Ｂ）は、イオン発生部１０が比較的薄い場合（放出穴１３ａが形成された面と、その反対側の面との間の厚みが小さい場合）に、イオン発生部１０を固定するための構造を表す。
【００３２】
図２および図６（Ａ）を参照して、ケース１３が比較的厚い場合、イオン発生部１０は、たとえばＬ字型の固定金具２０によって筐体１に固定される。ケース１３の側面（放出穴１３ａが形成された面の両側の面）に、固定金具２０の一方端がビス２２によって固定される。固定金具２０の他方端は、筐体１に固定される。
【００３３】
一方、図６（Ｂ）を参照して、ケース１３が比較的薄い場合、イオン発生部１０は、たとえば平板状の固定金具２１によって筐体１に固定される。ケース１３の背面（放出穴１３ａが形成された面の反対側の面）に、固定金具２１がビス２２によって固定される。固定金具２１の両端（図示せず）は、筐体１に固定される。
【００３４】
あるいは、固定金具をイオン発生部にビス留めしなくてもよい。図７は、図６に示した構造とは異なる、イオン発生部１０を固定するための構造を概略的に示す図である。図７を参照して、図７（Ａ）は、ヘアードライヤー１００の背面図である。図７（Ｂ）は、イオン発生部１０を固定するための固定金具２３の構造を表す。
【００３５】
固定金具２３は、収容部２４と、板状部２５とを有する。収容部２４は略直方体形状を有する。収容部２４の一面には、イオン発生部１０をはめ込むための開口面が形成される。イオン発生部１０は、１対の収容部２４によって両側から挟まれる。１対の収容部２４の間には、放出穴１３ａに沿って空気が流れるように、長手方向Ｌ３に沿って隙間が設けられている。板状部２５の一方端は、収容部２４の開口面と反対側の面に固定される。その面から、板状部２５は開口面とは反対側に延在する。板状部２５の他方端は筐体１に固定される。
【００３６】
このように、図６または図７で説明した構造を利用して、イオン発生部１０を筐体１に固定することができる。しかし、イオン発生部１０を筐体１に固定する構造は、図６または図７に示された構造に特に限定されるものではない。
【００３７】
［実施の形態１の変形例］
図８は、本発明の実施の形態１の変形例に係るヘアードライヤー１０１の断面図である。図８を参照して、ヘアードライヤー１０１には、空気流路９０のイオン発生部１０に対する下流側にリブ（突起部）１ａが設けられる。リブ１ａは、空気流路９０の壁面からイオン発生部１０の長手方向Ｌ３に沿って突出する。
【００３８】
リブ１ａは、吸込口４から吸い込まれて、イオン発生部１０を回り込む空気を、空気流路９０の方向と交差する方向Ｌ２に電極へと導く。これにより、より多くのイオンが空気流路９０を流れる気流に乗る。したがって、本変形例によれば、実施の形態１と比較して、吹出口５から吹き出されるイオンの量（単位体積当たりのイオンの数）を増加させることができる。ヘアードライヤー１０１の他の構造は、ヘアードライヤー１００（図１参照）の構造と同等であるため、詳細な説明を繰り返さない。
【００３９】
［実施の形態２］
図９は、本発明の実施の形態２に係るヘアードライヤー２００の断面図である。図９を参照して、本実施の形態においてハンドル２は、空気流路９０の方向Ｌ１に沿って、ファン６と吸込口４との間に配置される。
【００４０】
ヘアードライヤー２００では、イオン発生部１０がハンドル２内に配置される。上述のように、ハンドル２は、空気流路９０の方向Ｌ１と交差する方向Ｌ２に沿って、筐体１に形成される。つまり、イオン発生部１０は、イオン発生部１０の長手方向Ｌ３が、交差する方向Ｌ２と一致するようにハンドル２内に配置される。
【００４１】
ハンドル２には、吸込口９１４と、吹出口９１５と、吸込口９１４から吹出口９１５へと至るイオン流路９１とが形成される。吸込口９１４は、空気流路９０の方向Ｌ１と交差する方向Ｌ２に沿って、筐体１とハンドル２との連結部２ｃから電極よりも遠くに形成される。吹出口９１５は、連結部２ｃに形成される。ヘアードライヤー２００の他の構造は、ヘアードライヤー１００（図１参照）の構造と同等であるため、詳細な説明を繰り返さない。
【００４２】
本実施の形態によれば、実施の形態１と比較して、空気流路の方向に関し、筐体を一層小型化することができる。また、イオン発生部が空気流路を流れる気流を遮らないため、吹出口５から吹き出される空気の量（風量）を増加させることができる。
【００４３】
［実施の形態２の変形例］
図１０は、本発明の実施の形態２の変形例に係るヘアードライヤー２０１の断面図である。図１０を参照して、本変形例においてハンドル２は、空気流路９０の方向Ｌ１に沿って、ファン６と吹出口５との間に配置される。ヘアードライヤー２０１の他の構造は、ヘアードライヤー２００（図９参照）の構造と同等であるため、詳細な説明を繰り返さない。
【００４４】
図９のようにハンドル２がファン６よりも上流側に配置された場合、ハンドル２内のイオン気流は、ファン６によって空気流路９０に吸い込まれる。しかし、図１０では、イオン流路９１の吹出口９１５から吹き出された気流は、ファン６よりも下流側で空気流路９０に合流する。この場合、ハンドル２内のイオン気流はファン６によって吸い込まれにくい。
【００４５】
そこで、筐体１にはリブ１ｂが設けられる。リブ１ｂは、イオン流路９１の吹出口９１５を部分的に塞ぐ。これにより、イオン流路９１の吹出口９１５の面積Ｂが、イオン流路９１の吸込口９１４の面積Ａよりも小さくなる（Ｂ＜Ａ）。イオン流路９１の吹出口９１５の面積Ｂは、空気流路９０の吹出口５の面積Ｃよりも小さい（Ｂ＜Ｃ）。すなわち、吸込口９１４からイオン流路９１を通って空気流路９０の吹出口５へと至る流路には、「オリフィス構造」が実現される。イオン流路９１の吹出口９１５が形成された部分が「オリフィス」である。
【００４６】
ハンドルをオリフィス構造とすることで、オリフィスよりも下流側の圧力は、オリフィスよりも上流側の圧力よりも低くなる（負圧になる）。本実施の形態では、吸込口９１４からイオン流路９１を通って吹出口５へと至る流路の方向において、吸込口９１４よりも下流側の圧力は、イオン流路９１の吸込口９１４の上流側の圧力よりも低くなる。このため、吸込口９１４―イオン流路９１―吹出口９１５―吹出口５と流れるイオン気流を生じさせることができる。これにより、ハンドル２内に設けられたイオン発生部１０で発生したイオンを、空気流路９０へと導くことができる。
【００４７】
本発明の実施の形態１，２、および実施の形態１，２の各々の変形例は、以下のように要約することができる。
【００４８】
（１）吸込口４および吹出口５が形成され、吸込口４から吹出口５へと至る空気流路９０を有する筐体１と、空気流路９０に配置され、気流を生じさせるファン６と、空気流路９０に配置され、空気流路９０を流れる空気を加熱するヒータ７と、長手方向Ｌ３と短手方向Ｌ４とを有し、長手方向Ｌ３が空気流路９０の方向Ｌ１と交差するように配置されたイオン発生部１０とを備え、イオン発生部１０は、長手方向Ｌ３に沿った面に、イオンを発生させるための放電電極１１を有し、筐体１は、空気流路９０の方向Ｌ１と交差し、かつ電極が形成される面に沿う方向Ｌ３に沿って形成されたイオン流路９１をさらに有する、ヘアードライヤー１００，１０１，２００，２０１。
【００４９】
上記（１）の構成によれば、イオン発生部を備えたヘアードライヤーを小型化することができる。
【００５０】
（２）空気流路９０の方向Ｌ１と交差する方向Ｌ２についての空気流路９０の壁面間の長さは、吹出口５から吸込口４に近くなるに従って大きくなり、イオン発生部１０は、空気流路９０の方向Ｌ１に沿って、ファン６と吸込口４との間で筐体１内に配置される、ヘアードライヤー１００，１０１。
【００５１】
上記（２）の構成によれば、吸込口の近傍には、比較的大きなスペースが存在する。したがって、イオン発生部の配置が容易になる。
【００５２】
（３）筐体１は、空気流路９０のイオン発生部１０に対する下流側に、空気流路９０の壁面からイオン発生部１０の長手方向Ｌ３に沿って突出するリブ１ａをさらに有する、ヘアードライヤー１０１。
【００５３】
上記（３）の構成によれば、より多くのイオンが空気流路での気流に乗る。したがって、吹出口から吹き出されるイオンの量を増加させることができる。
【００５４】
（４）筐体１は、空気流路９０の方向Ｌ１と交差する方向Ｌ２に沿って筐体１に連結され、イオン流路９１が形成されたハンドル２をさらに有し、イオン発生部１０は、イオン発生部１０の長手方向Ｌ３が、交差する方向Ｌ２と一致するようにハンドル２内に配置され、ハンドル２は、交差する方向Ｌ２に沿って、筐体１とハンドル２との連結部２ｃから放電電極１１および誘導電極１２よりも遠くに形成された、イオン流路９１の吸込口９１４と、連結部２ｃに形成された、イオン流路９１の吹出口９１５とを有する、ヘアードライヤー２００，２０１。
【００５５】
上記（４）の構成によれば、筐体を小型化することができる。また、イオン発生部が空気流路での気流を遮らないため、風量が増加する。さらに、ヘアードライヤーの重心の位置がハンドルの近くになるため、ハンドルを保持したときの安定感が向上する。
【００５６】
（５）ハンドル２は、空気流路９０の方向Ｌ１に沿って、ファン６と空気流路９０の吹出口５との間に配置され、イオン流路９１の吸込口９１４の面積Ａは、イオン流路９１の吹出口９１５の面積Ｂよりも大きく、空気流路９０の吹出口５の面積Ｃは、イオン流路９１の吹出口９１５の面積Ｂよりも大きい、ヘアードライヤー２０１。
【００５７】
上記（５）の構成によれば、イオン流路の吸込口―イオン流路―イオン流路の吹出口―空気流路の吹出口と流れるイオン気流を生じさせることができる。
【００５８】
［実施の形態３］
図１１は、本発明の実施の形態３に係るヘアードライヤー３００の断面図である。図１１を参照して、ヘアードライヤー３００は、筐体１と、ファン６と、ヒータ７と、イオン発生部３０とを備える。
【００５９】
筐体１の形状は、たとえば筒状である。筐体１の一方の端面には吸込口４が形成される。筐体１の他方の端面には吹出口５が形成される。筐体１には、吸込口４から吹出口５へと至る空気流路９０が形成される。また、筐体１には、吸込口９１４から吹出口９１５（図１４参照）へと至るイオン流路９１が形成される。イオン流路９１と空気流路９０とは、隔壁１ｃによって隔てられる。
【００６０】
空気流路９０内に、ファン６と、ヒータ７とが収容される。ファン６は、モータ（図示せず）によって回転駆動される。これにより、ファン６は、空気流路９０内に気流を生じさせる。図１１中の矢印が気流の方向を表す。ヒータ７は、ファン６と吹出口５との間に配置される。ヒータ７は、ファン６が生じさせた空気流路９０内を流れる空気を加熱する。
【００６１】
筐体１の吸込口４側には、使用者がヘアードライヤー１００を保持するためのハンドル２が形成される。ハンドル２には、切替スイッチ８１と、電源スイッチ８２とが取り付けられる。使用者が切替スイッチ８１を操作することによって、温風／冷風、およびイオンの発生／不発生が切り替えられる。また、使用者が電源スイッチ８２を操作することによって、電源のオン／オフが切り替えられる。
【００６２】
イオン流路９１内にイオン発生部３０が収容される。イオン発生部３０は、針状の放電電極３１と、環状の対向電極３２と、ペルチェ素子３３と、ヒートシンク３４とを含む。本実施の形態において、イオン発生部３０は負イオンを発生させる。
【００６３】
図１２は、図１１に示したヘアードライヤー３００の断面図である。図１２（Ａ）は、図１１のＸＩＩＡ―ＸＩＩＡ線に沿うヘアードライヤー３００の断面図である。図１２（Ｂ）は、図１１のＸＩＩＢ―ＸＩＩＢ線に沿うヘアードライヤー３００の断面図である。
【００６４】
図１２（Ａ）および図１２（Ｂ）を参照して、放電電極３１と対向電極３２とは、互いに対向するように配置される。ペルチェ素子３３は、放電電極３１を冷却する。これにより、空気中の水が放電電極３１上に結露する。電圧生成回路（図示せず）によって生成された負電圧が放電電極１１に印加されると、放電電極３１と対向電極３２との間で放電が生じる。この放電に際して、放電電極３１上に結露した水は、レイリー分裂を起こして負イオン（負に帯電した微細粒子水）となる。
【００６５】
ヒートシンク３４は、ペルチェ素子３３からの熱を放散させるために設けられる。ヒートシンク３４は、放熱板３５と、複数のフィン３６とを有する。放熱板３５にはペルチェ素子３３が配置される。複数のフィン３６は、放熱板３５に略垂直な方向に、互いに平行に形成される。
【００６６】
ヒートシンク３４は、放熱板３５がイオン流路９１の方向Ｌ５（図１２（Ａ）では紙面に垂直な方向）に対して略平行であって、かつ複数のフィン３６の各々がイオン流路９１の方向Ｌ５に対して略平行となる向きに配置される。
【００６７】
図１３は、イオン発生部３０の従来の配置を説明するための図である。図１３を参照して、従来、ヒートシンク３４は、放熱板３５がイオン流路９１の方向Ｌ５に対して略垂直となる向きに配置されていた（特許文献２参照）。このため、イオン流路９１を流れる気流が放熱板３５に略垂直に当たる。したがって、放散すべき熱によって暖められた空気が放熱板３５付近に滞留してしまう。
【００６８】
図１２（Ｂ）に戻り、本実施の形態によれば、放熱板３５またはフィン３６によって、イオン流路９１を流れる気流が妨げられることを抑制できる。このため、従来の配置（図１３参照）よりも、ヒートシンク３４での熱交換効率が向上する。すなわち、ヒートシンク３４を小型化しても、従来の配置と同程度の熱交換効率を得ることができる。一般に、ヒートシンクがイオン発生部に占める体積の割合は大きい。したがって、ヒートシンク３４を小型化することは、イオン流路９１の断面積（イオン流路９１の方向Ｌ５に垂直な方向の断面積）を小さくする点において有効である。イオン流路９１の断面積が小さくなると、結果として筐体１を小型化することができる。
【００６９】
また、ヒートシンク３４での熱交換効率の向上により、ペルチェ素子３３の冷却効果が増大する。したがって、放電電極３１に結露する水の量が増加するため、負イオンの発生量を増加させることができる。
【００７０】
図１４は、図１１に示した空気流路９０およびイオン流路９１の構造を説明するための図である。図１４を参照して、イオン流路９１の吸込口９１４の面積Ａは、イオン流路９１の吹出口９１５の面積Ｂよりも大きい（Ｂ＜Ａ）。また、空気流路９０の吹出口５の面積Ｃは、イオン流路９１の吹出口９１５の面積Ｂよりも大きい（Ｂ＜Ｃ）。すなわち、吸込口９１４からイオン流路９１を通って空気流路９０の吹出口５へと至る流路には、「オリフィス構造」が実現される。イオン流路９１の吹出口９１５が形成された部分が「オリフィス」である。
【００７１】
筺体をオリフィス構造とすることで、オリフィスよりも下流側の圧力は、オリフィスよりも上流側の圧力よりも低くなる（負圧になる）。本実施の形態では、吸込口９１４からイオン流路９１を通って吹出口５へと至る流路の方向において、吸込口９１４よりも下流側の圧力は、イオン流路９１の吸込口９１４の上流側の圧力よりも低くなる。このため、吸込口９１４―イオン流路９１―吹出口９１５―吹出口５と流れるイオン気流を生じさせることができる。
【００７２】
一般に使用者は、空気流路を流れる温風が毛髪に当たる感覚によって、ヘアードライヤーの吹出口の向きを調整する。このため、空気流路を流れる気流の向きとイオン気流の向きとが異なる場合、使用者の毛髪に直接当たる負イオンの量が小さくなると考えられる。
【００７３】
本実施の形態によれば、イオン流路９１の吹出口９１５から吹き出されたイオン気流は、空気流路９０を流れる気流と合流する。このため、負イオンは、空気流路９０を流れる気流とともに吹出口５から吹き出される。したがって、毛髪に直接当たる負イオンの量を大きくすることができる。その結果、毛髪の保湿効果または静電気抑制効果を向上することができる。また、空気流路９０を流れる気流の速さは、イオン気流の速さよりも大幅に大きいため、負イオンの到達距離を伸ばすこともできる。
【００７４】
フィルタ５１は、使用者がヒータ７に接触するのを防ぐために設けられる。フィルタ５１は、イオン発生部３０が発生させた負イオンによって帯電し得る材料を含む。フィルタ５１は、たとえば金属製の格子である。
【００７５】
負イオンを含むイオン気流が、空気流路９０を流れる気流とフィルタ５１よりも上流側で合流する場合、多くの負イオンがフィルタ５１に付着する。フィルタ５１に負イオンが付着すると、フィルタ５１は負に帯電する。負に帯電したフィルタ５１と、イオン気流に含まれる負イオンとの間で電気的反発が生じる。このため、イオン気流に含まれる負イオンがフィルタ５１を通過しにくくなる。したがって、吹出口５から吹き出される負イオンの量が減少してしまう。
【００７６】
本実施の形態によれば、負イオンを含むイオン気流は、空気流路９０を流れる気流とフィルタ５１よりも下流側で合流する。したがって、負イオンがフィルタ５１に付着しにくいため、フィルタ５１の帯電が抑制される。よって、吹出口５から吹き出される負イオンの量の減少を抑制することができる。
【００７７】
［実施の形態３の変形例］
図１５は、本発明の実施の形態３の変形例に係るヘアードライヤー３０１の断面図である。図１６は、図１５に示したノズル８３の外観斜視図である。図１７は、図１６に示したノズル８３の構造を詳細に説明する図である。図１７（Ａ）は、図１６に示したノズル８３の正面図である。図１７（Ｂ）は、図１７（Ａ）のＸＶＩＩＢ―ＸＶＩＩＢ線に沿うノズル８３の断面図である。
【００７８】
図１５〜図１７を参照して、ヘアードライヤー３０１は、ノズル８３を備える点、およびイオン発生部３０（図１２参照）に代えてイオン発生部３０ａを備える点において、ヘアードライヤー３００（図１１参照）と異なる。
【００７９】
ノズル８３は筐体１に着脱可能である。図１５では、筐体１にノズル８３が装着された状態が示されている。筐体１に装着された場合に気流を受ける側と、気流を吹き出す側との間のノズル８３の断面形状は曲線状である。ノズル８３によって、空気流路９０を流れる気流とイオン気流とが合流する。ノズル８３では、筐体１に装着された場合に気流を受ける側の面積が大きく、気流を吹き出す側の面積は小さい。このため、ノズル８３を装着することで、ヘアードライヤーから吹き出される気流の速さを増加させることができる。一方、ノズル８３を取り外すことで、ヘアードライヤーを小型化することができる。
【００８０】
図１８は、図１２に示したイオン発生部３０とは異なる構造を有するイオン発生部３０ａの構造を説明するための図である。図１８を参照して、イオン発生部３０ａは、放電電極３１に代えて放電電極３１ａを含む点、および対向電極３２に代えて対向電極３２ａを含む点において、イオン発生部３０（図１２参照）と異なる。
【００８１】
放電電極３１ａの形状はＬ字型である。放電電極３１ａの針先が向く方向は、イオン流路９１の方向Ｌ５と一致する。環状の対向電極３２ａは、放電電極３１ａの針先を囲むように配置されている。この配置により、対向電極３２ａをイオン気流が流れる。ヘアードライヤー３０１の他の構造は、ヘアードライヤー３００（図１１参照）の構造と同等であるため、詳細な説明を繰り返さない。
【００８２】
［実施の形態４］
図１９は、本発明の実施の形態４に係るヘアードライヤー４００の断面図である。図２０は、図１９に示した空気流路９０およびイオン流路９１の構造を説明するための図である。
【００８３】
図１９および図２０を参照して、ヘアードライヤー４００の構造は、イオン流路９１の吸込口９１４が、空気流路９０の吸込口４から独立に形成される点において、ヘアードライヤー３００（図１１参照）の構造と異なる。
【００８４】
本実施の形態においても、イオン流路９１の吸込口９１４の面積Ａは、イオン流路９１の吹出口９１５の面積Ｂよりも大きい（Ｂ＜Ａ）。空気流路９０の吹出口５の面積Ｃは、イオン流路９１の吹出口９１５の面積Ｂよりも大きい（Ｂ＜Ｃ）。すなわち、吸込口９１４からイオン流路９１を通って空気流路９０の吹出口５へと至る経路には、「オリフィス構造」が実現される。したがって、吸込口９１４―イオン流路９１―吹出口９１５―吹出口５と流れるイオン気流を生じさせることができる。ヘアードライヤー４００の他の構造は、ヘアードライヤー３００の構造と同等であるため、詳細な説明を繰り返さない。
【００８５】
［実施の形態４の変形例］
図２１は、本発明の実施の形態４の変形例に係るヘアードライヤー４０１の断面図である。図２１を参照して、ヘアードライヤー４０１の空気流路９０の吹出口５は、筐体１に着脱可能なノズル８３によって形成される。ノズル８３を装着することで、ヘアードライヤーから吹き出される気流の速さを増加させることができる。ヘアードライヤー４０１の他の構造は、ヘアードライヤー４００（図１９参照）の構造と同等であるため、詳細な説明を繰り返さない。
【００８６】
［実施の形態５］
図２２は、本発明の実施の形態５に係るヘアードライヤー５００の断面図である。図２２を参照して、ヘアードライヤー５００の構造は、イオン流路９１の吸込口９１４が、空気流路９０の吸込口４から分岐して形成される点において、ヘアードライヤー３００（図１１参照）の構造と異なる。
【００８７】
本実施の形態においても、イオン流路９１の吸込口９１４の面積Ａは、イオン流路９１の吹出口９１５の面積Ｂよりも大きい（Ｂ＜Ａ）。空気流路９０の吹出口５の面積Ｃは、イオン流路９１の吹出口９１５の面積Ｂよりも大きい（Ｂ＜Ｃ）。すなわち、吸込口９１４からイオン流路９１を通って空気流路９０の吹出口５へと至る経路には、「オリフィス構造」が実現される。したがって、吸込口９１４―イオン流路９１―吹出口９１５―吹出口５と流れるイオン気流を生じさせることができる。ヘアードライヤー５００の他の構造は、ヘアードライヤー３００（図１１参照）の構造と同等であるため、詳細な説明を繰り返さない。
【００８８】
［実施の形態５の変形例］
図２３は、本発明の実施の形態５の変形例に係るヘアードライヤーの断面図である。図２３を参照して、ヘアードライヤー５０１の空気流路９０の吹出口５は、筐体１に着脱可能なノズル８３によって形成される。ノズル８３を装着することで、ヘアードライヤーから吹き出される気流の速さを増加させることができる。ヘアードライヤー５０１の他の構造は、ヘアードライヤー５００（図２２参照）の構造と同等であるため、詳細な説明を繰り返さない。
【００８９】
図２４は、図１５とは異なる形状を有するノズルの外観斜視図である。図２５は、図２４に示したノズル８４の構造を詳細に説明する図である。図２５（Ａ）は、図２４に示したノズル８４の正面図である。図２５（Ｂ）は、図２５（Ａ）のＸＸＶＢ―ＸＸＶＢ線に沿うノズル８４の断面図である。
【００９０】
図２４および図２５を参照して、ノズル８４の構造は、筐体１に装着された場合に気流を受ける側と、気流を吹き出す側との間の断面形状が直線状である点において、ノズル８３の構造（図１６および図１７参照）と異なる。ノズル８４の他の構造は、ノズル８３の構造と同等であるため、詳細な説明を繰り返さない。ヘアードライヤー３０１，４０１，５０１（図１５、図２１、および図２３参照）は、ノズル８３に代えてノズル８４を備えてもよい。
【００９１】
本発明の実施の形態３〜５、および実施の形態３〜５の各々の変形例は以下のように要約することができる。
【００９２】
（１）吸込口４および吹出口５が形成され、吸込口４から吹出口５へと至る空気流路９０と、空気流路９０と異なるイオン流路９１とを有する筐体１と、空気流路９０に配置され、気流を生じさせるファン６と、空気流路９０に配置され、空気流路９０を流れる空気を加熱するヒータ７と、イオン流路９１に配置され、負イオンを発生させるイオン発生部３０，３０ａとを備え、イオン発生部３０，３０ａは、負イオンを発生させる放電電極３１，３１ａおよび対向電極３２，３２ａと、放電電極３１，３１ａを冷却するペルチェ素子３３と、ペルチェ素子３３からの熱を放散させるヒートシンク３４とを含み、ヒートシンク３４は、ペルチェ素子３３が配置される放熱板３５と、放熱板３５に略垂直な方向に、互いに平行に形成された複数のフィン３６とを有し、ヒートシンク３４は、放熱板３５がイオン流路９１の方向Ｌ５に対して略平行であって、かつ複数のフィン３６の各々がイオン流路９１の方向Ｌ５に対して略平行となる向きに配置される、ヘアードライヤー３００，３０１，４００，４０１，５００，５０１。
【００９３】
上記（１）の構成によれば、イオン発生部を備えるヘアードライヤーを小型化することができる。
【００９４】
（２）ヒータ７と吹出口５との間に、帯電し得る材料からなるフィルタ５１をさらに備え、イオン流路９１は、イオン流路９１から吹き出された空気が、空気流路９０の方向に沿って、フィルタ５１よりも吹出口５側で空気流路９０と合流するように形成される、ヘアードライヤー３００，３０１，４００，４０１，５００，５０１。
【００９５】
上記（２）の構成によれば、負イオンは、空気流路９０を流れる気流とともに吹出口５から吹き出される。したがって、負イオンを毛髪に当てることを使用者が特に意識しなくても、毛髪に直接当たる負イオンの量が大きい。その結果として、毛髪の保湿効果または静電気抑制効果を向上することができる。また、負イオンの到達距離を伸ばすこともできる。さらに、負イオンがフィルタ５１に付着しにくいため、フィルタ５１の帯電が抑制される。よって、吹出口５から吹き出される負イオンの量の減少を抑制することができる。
【００９６】
（３）空気流路９０の吹出口５は、筐体１に着脱可能なノズル８３，８４によって形成される、ヘアードライヤー３０１，４０１，５０１。
【００９７】
上記（３）の構成によれば、ノズルを装着することで、ヘアードライヤーから吹き出される気流の速さを増加させることができる。一方、ノズルを取り外すことで、ヘアードライヤーを小型化することができる。
【００９８】
（４）イオン流路９１の吸込口９１４は、空気流路９０から独立して設けられ、イオン流路９１の吸込口９１４の面積Ａは、イオン流路９１の吹出口９１５の面積Ｂよりも大きく、空気流路９０の吹出口５の面積Ｃは、イオン流路９１の吹出口９１５の面積Ｂよりも大きい、ヘアードライヤー４００，４０１。
【００９９】
上記（４）の構成によれば、イオン流路の吸込口―イオン流路―イオン流路の吹出口―空気流路の吹出口と流れるイオン気流を生じさせることができる。
【０１００】
（５）イオン流路９１は、空気流路９０から分岐して形成され、イオン流路９１の吸込口９１４の面積Ａは、イオン流路９１の吹出口９１５の面積Ｂよりも大きく、空気流路９０の吹出口５の面積Ｃは、イオン流路９１の吹出口９１５の面積Ｂよりも大きい、ヘアードライヤー３００，３０１，５００，５０１。
【０１０１】
上記（５）の構成によれば、イオン流路の吸込口―イオン流路―イオン流路の吹出口―空気流路の吹出口と流れるイオン気流を生じさせることができる。
【０１０２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１０３】
１００，１０１，２００，２０１，３００，３０１，４００，４０１，５００，５０１  ヘアードライヤー、１  筐体、１ａ，１ｂ  リブ、１ｃ  隔壁、２  ハンドル、２ａ  電源コード、２ｂ  ブッシング、２ｃ  連結部、４，９１４  吸込口、５，９１５  吹出口、５１  フィルタ、６  ファン、７  ヒータ、８１  電源スイッチ、８，８２  切換スイッチ、８３，８４  ノズル、９０  空気流路、９１  イオン流路、１０，３０，３０ａ  イオン発生部、１１，３１，３１ａ  放電電極、１２  誘導電極、３２，３２ａ  対向電極、３３  ペルチェ素子、３４  ヒートシンク、３５  放熱板、３６  フィン、１３  ケース、１３ａ  放出穴、１４  接続端子、１５，７１  基板、２０，２１，２３  固定金具、２２  ビス、２４  収容部、２５  板状部。
【図１】
2014188348.tif 000003
【図２】
2014188348.tif 000004
【図３】
2014188348.tif 000005
【図４】
2014188348.tif 000006
【図５】
2014188348.tif 000007
【図６】
2014188348.tif 000008
【図７】
2014188348.tif 000009
【図８】
2014188348.tif 000010
【図９】
2014188348.tif 000011
【図１０】
2014188348.tif 000012
【図１１】
2014188348.tif 000013
【図１２】
2014188348.tif 000014
【図１３】
2014188348.tif 000015
【図１４】
2014188348.tif 000016
【図１５】
2014188348.tif 000017
【図１６】
2014188348.tif 000018
【図１７】
2014188348.tif 000019
【図１８】
2014188348.tif 000020
【図１９】
2014188348.tif 000021
【図２０】
2014188348.tif 000022
【図２１】
2014188348.tif 000023
【図２２】
2014188348.tif 000024
【図２３】
2014188348.tif 000025
【図２４】
2014188348.tif 000026
【図２５】
2014188348.tif 000027